(57)【要約】【課題】  冷蔵ショーケースや冷蔵庫や冷凍庫などの低温場所で使用するに際して、照明用の可視光だけではなく、殺菌作用に寄与する紫外線を管体外に放射することで、低温場所での殺菌ないし菌の増殖を抑えることを可能にする希ガス放電ランプを提供すること【解決手段】  真空紫外光を透過する誘電体材料からなる管体の内面の一部に蛍光体層を備え、該管体の外面の管軸方向に沿って、該管体のほぼ全長に亘り複数の電極を備え、該管体の内部にキセノンガスあるいはキセノンガスを主成分とする希ガスが封入されてなる希ガス放電管を、真空紫外光を透過する誘電体材料からなる外筒管で覆い、該外筒管の両端が気密に封止され、該外筒管内は真空紫外光を透過する雰囲気となっており、該外筒管から真空紫外光と可視光を同時に放射することを特徴とする二重管型希ガス放電ランプとする。【選択図】図４
2008098022.tif 000002
【特許請求の範囲】
【請求項１】
真空紫外光を透過する誘電体材料からなる管体の内面の一部に蛍光体層を備え、該管体の外面の管軸方向に沿って、該管体のほぼ全長に亘り複数の電極を備え、該管体の内部にキセノンガスあるいはキセノンガスを主成分とする希ガスが封入されてなる希ガス放電管を、真空紫外光を透過する誘電体材料からなる外筒管で覆い、該外筒管の両端が気密に封止され、該外筒管内は真空紫外光を透過する雰囲気となっており、該外筒管から真空紫外光と可視光を同時に放射することを特徴とする二重管型希ガス放電ランプ。
【請求項２】
真空紫外光を透過する誘電体材料からなる管体の外面の管軸方向に沿って、該管体のほぼ全長に亘り複数の電極を備え、該管体の内部にキセノンガスあるいはキセノンガスを主成分とする希ガスが封入されてなる希ガス放電管を、真空紫外光を透過する誘電体材料からなる外筒管で覆い、該外筒管の両端が気密に封止され、該外筒管内は真空紫外光を透過する雰囲気としてなり、該外筒管内面の一部に蛍光体層を備え、該外筒管から真空紫外光と可視光を同時に放射することを特徴とする二重管型希ガス放電ランプ。
【請求項３】
前記希ガス放電管の内面に、管軸に沿って蛍光体層のないアパーチャを有することを特徴とする請求項1に記載の二重管型希ガス放電ランプ。
【請求項４】
前記外筒管の内面に、管軸に沿って蛍光体層を備えないアパーチャを有することを特徴とする請求項２に記載の二重管型希ガス放電ランプ。
【請求項５】
前記外筒管内に前記真空紫外光を透過する雰囲気として、窒素ガスまたはアルゴンガスが封入されていることを特徴とする請求項1乃至請求項4のいずれかに記載の二重管型希ガス放電ランプ。
【請求項６】
前記外筒管内を前記真空紫外光を透過する雰囲気として、１×１０−１Ｐａ以下の減圧雰囲気としたことを特徴とする請求項1乃至請求項4のいずれかに記載の二重管型希ガス放電ランプ。
【発明の詳細な説明】
【技術分野】
【０００１】
本発明は、一般照明用光源としての希ガス放電ランプに関し、特に冷蔵ショーケースや冷蔵庫や冷凍庫などの低温場所での使用に好適な希ガス放電ランプに関する。
【背景技術】
【０００２】
従来、冷蔵ショーケースや冷蔵庫や冷凍庫などの低温場所で使用する照明装置においては、直管型蛍光ランプが使用されてきた。このような照明装置に使用される光源は、発光管内面に蛍光体膜を形成すると共に、両端に一対の内部電極を設け、内部にアルゴン、ネオン等の希ガスや水銀を封入して放電を生起させ、発生した紫外線を蛍光体膜に照射して励起することにより、可視光に変換して外部に取り出す、いわゆる内部電極型の蛍光ランプが使用されている。上記低温場所で使用する照明分野においては、発光管の径が割合と大きな熱陰極型蛍光ランプが主として使用されている。
【０００３】
冷蔵ショーケースや冷蔵庫や冷凍庫などの用途では使用される場所が、常時低温下にあるため、ランプの交換回数が少なくてメンテナンスが簡便なもの、すなわち長寿命のランプが求められている。しかし、熱陰極型蛍光ランプは、バルブ内部に封装された電極のエミッタの枯渇という現象を避けることができず、ランプの長寿命化については自ずと限界がある。
【０００４】
この内部電極型蛍光ランプに替わり、特開２００６−１６７０５４号公報には、外部電極型蛍光ランプを冷蔵ショーケースの照明などに使用することが提案されている。この外部電極型蛍光ランプは、電極の損耗がなく、熱陰極型蛍光ランプにくらべ長寿命が保証される。
【０００５】
ところで、冷蔵ショーケースや冷蔵庫や冷凍庫などの用途に使用される場合、食品などを主に保冷するため、病原菌の発生を抑えるための工夫が重要となる。このため、低温にして、病原菌の活動を抑えているのであるが、常温に戻る状況となれば、これらの病原菌は、活動を開始してしまう。これら病原菌を、低温下で、殺菌してしまうことができれば、衛生面から非常に有効である。
【０００６】
現在は、冷蔵ショーケース内の殺菌は商品を陳列する前にオゾン水洗浄機でショーケース内にオゾン水を吹きつけることがなされているという。また、特許第２５４５６６８号に記載があるが、家庭用の冷蔵庫内の殺菌としては１８５ｎｍの波長を出す紫外線放電灯を利用した技術がある。しかし、先に記載した特開２００６−１６７０５４号公報には、ショーケースの殺菌については全く言及しておらず示唆もされていない。
【特許文献１】特許第２５４５６６８号公報
【特許文献２】特開２００６−１６７０５４号公報
【発明の開示】
【発明が解決しようとする課題】
【０００７】
そこで本願は、外部電極型希ガス放電ランプを、特に冷蔵ショーケースや冷蔵庫や冷凍庫などの低温場所で使用するに際して、照明用の可視光だけではなく、殺菌作用に寄与する紫外線を発光管外に放射することで、低温場所での殺菌ないし菌の増殖を抑えることを可能にする希ガス放電ランプを提供することにある。
【課題を解決するための手段】
【０００８】
上記課題を解決するために、請求項1に記載の発明は、真空紫外光を透過する誘電体材料からなる管体の内面の一部に蛍光体層を備え、該管体の外面の管軸方向に沿って、該管体のほぼ全長に亘り複数の電極を備え、該管体の内部にキセノンガスあるいはキセノンガスを主成分とする希ガスが封入されてなる希ガス放電管を、真空紫外光を透過する誘電体材料からなる外筒管で覆い、該外筒管の両端が気密に封止され、該外筒管内は真空紫外光を透過する雰囲気となっており、該外筒管から真空紫外光と可視光を同時に放射することを特徴とする二重管型希ガス放電ランプとするものである。
本発明における真空紫外光は略１７２ｎｍを中心波長とした紫外光をいう。
【０００９】
請求項2に記載の発明は、真空紫外光を透過する誘電体材料からなる管体の外面の管軸方向に沿って、該管体のほぼ全長に亘り複数の電極を備え、該管体の内部にキセノンガスあるいはキセノンガスを主成分とする希ガスが封入されてなる希ガス放電管を、真空紫外光を透過する誘電体材料からなる外筒管で覆い、該外筒管の両端が気密に封止され、該外筒管内は真空紫外線を透過する雰囲気としてなり、該外筒管内面の一部に蛍光体層を備え、該外筒管から紫外光と可視光を同時に放射することを特徴とする二重管型希ガス放電ランプとするものである。
【００１０】
請求項３に記載の発明は、前記希ガス放電管の内面に、管軸に沿って蛍光体層のないアパーチャを有することを特徴とする請求項1に記載の二重管型希ガス放電ランプとするものである。
【００１１】
請求項４に記載の発明は、前記外筒管の内面に、管軸に沿って蛍光体層を備えないアパーチャを有することを特徴とする請求項２に記載の二重管型希ガス放電ランプとするものである。
【００１２】
請求項５に記載の発明は、前記外筒管内に前記真空紫外線を透過する雰囲気として、窒素ガスまたはアルゴンガスが封入されていることを特徴とする請求項1乃至請求項４のいずれかに記載の二重管型希ガス放電ランプとするものである。
【００１３】
請求項６に記載の発明は、前記外筒管内を前記真空紫外線を透過する雰囲気として、１×１０−１Ｐａ以下の減圧雰囲気としたことを特徴とする請求項1乃至請求項４のいずれかに記載の二重管型希ガス放電ランプとするものである。
【発明の効果】
【００１４】
本発明によれば真空紫外線と可視光とを、同じ放電ランプから同時に放射することにより、冷蔵庫や冷凍庫などの冷温場所において、可視光による照明と、真空紫外光によって生じるオゾンによる殺菌の両方の機能を単一の希ガス放電ランプにより行うことができる。
【発明を実施するための最良の形態】
【００１５】
〔第１の実施形態〕
以下、本願第１の実施形態を図１〜図４を参照しながら説明する。
図１は本発明に係る二重管型希ガス放電ランプ１００の斜視図、図２はかかる二重管型希ガス放電ランプ１００を構成する（ａ）１７２ｎｍの真空紫外光を透過する透光性外筒管２０の斜視図、（ｂ）外側管の内部に収用された希ガス放電管１０の斜視図、及び（ｃ）かかる希ガス放電管１０の断面図である。図４は完成した二重管型希ガス放電ランプ１００について管軸方向に垂直な断面図を示した。
【００１６】
図１において、管状の透光性外筒管２０の内部には不図示の希ガス放電管が収容され、透光性外筒管２０の両方の端部に蓋部材３１、３２による封止機構が具備されている。紙面上左側に位置された蓋部材３１には端壁面に２つリード線がガラス封止されており、希ガス放電管に接続された給電用のリード線１５、１６が接続され、さらに蓋部材３１と透光性外筒管２０の間は、シールにより密閉状態に維持されている。
【００１７】
リード線１５、１６の外方端部にはランプが搭載される照明装置に適合するコネクタ５０が装着されている。
リード線１５、１６は、従来蛍光ランプにおいてはシリコーン被覆した耐電力性の高い
ものが使用されているが、電流は、ランプに最大でも１００ｍＡ程度しか流れないため、ＡＷＧ（American Wire Gauge）が２０〜２８程度のもので十分であり、実装を考慮すると配線に十分な柔軟性を持ったものを使用するのが好ましい。
また、リード線を使用しない場合の給電部の取り出しは端子でも良い。
【００１８】
１７２ｎｍの真空紫外光を透過する透光性外筒管２０は、図２（ａ）で示すように両方の端部が開口した光透過性を有する筒体よりなり、材質として好ましくは、合成石英ガラスや、溶融石英ガラスなどの真空紫外光透過性のガラスまたは、サファイヤ単結晶などの真空紫外光透過性のセラミック材料である。
【００１９】
続いて、図２（ｂ）、（ｃ）は、透光性外筒管の内部に収容される希ガス放電管の一例を示す図であり（ｂ）斜視図、（ｃ）管軸に垂直な断面図である。
希ガス放電管１０のいわゆる発光管に相当する管体１１は１７２ｎｍの真空紫外光を透過する真空紫外光透光性の誘電体であるガラス管よりなり、その内部に内表面の全周に亘って蛍光体が塗布されて蛍光体層１４が形成されると共に、主な真空紫外光発光元素としてキセノンガスを含む希ガスが封入されてガラス管の両端部において気密に封止されて構成されている。
この際に、希ガス放電管１０の管体１１内表面のほぼ軸方向に直線状の蛍光体が塗布されていないスリット状の領域であるアパーチャ１７を形成させることで、ここから、主として、１７２ｎｍの真空紫外光を放射させる。
この希ガス放電管への入力は、管体の内表面積あたりの入力で、０．５(Ｗ／ｃｍ2）以内であることにより、発光効率が、最大値の９５％以上の効率の高い領域で使用することができる。
【００２０】
また、アパーチャは、内面の最大で５０％までで使用し、可視光の光学的な取り出しをも考慮すると、アパーチャ角度αは、６０度付近が好ましい。この場合、１７２nmの取り出しは、光学的には全体の１／６ になるが、上に述べたように、可視光の取り出し効率と、１７２nmの光に指向性を持たせて、照射することを考慮すると、アパーチャ角度は６０度付近の角度が好ましくなる。
【００２１】
そして、管体１１の外表面上に一対の導電性の外部電極１２、１３が互いに離間して軸方向に配設されることにより、希ガス放電管１０が構成されている。管体１１の材質としては、１７２ｎｍを透過する合成石英ガラスや、溶融石英ガラスなどの真空紫外光透過性のガラスなどを挙げることができる。外部電極１２、１３は材質としては導電性のものであれば特に制限されるものではなく、具体的には、金、銀、ニッケル、カーボン、金パラジウム、銀パラジウム、白金、アルミニウムなどを、好適に用いることができ、管体１１の外表面にテープ状金属を貼付したり、前記金属と低融点ガラスを混合した導電性ペーストをスクリーン印刷して焼成したりすることにより、実現する。
【００２２】
管体１１の片方の端部においては外部電極１２、１３に電力を供給するためのリード線１５、１６が例えば半田、導電性ペースト、溶接などの手段によって電気的に接続され、希ガス放電ランプが完成する。
このように、本発明に係る希ガス放電管１０の管体１１の外周面上には樹脂などからなるシートやチューブは、端部での給電部の保持部分を除き一切施されない。
【００２３】
次に、図3では、ランプの片側端部の封着前の状態を示している。図１で示したように、透光性外筒管２０の両方の端部に蓋部材３１、３２については、管状の透光性外筒管２０とほぼ同じ熱膨張係数を有するガラスにより構成される。
蓋部材３１、３２と透光性外筒管２０を石英ガラス製とした場合で説明する。蓋部材３２（不図示）については、透光性外筒管２０の電流導入側と反対側にあるので、封止の機能を主とするため、透光性外筒管２０の端部を閉じた形状にして代用してもかまわない。
蓋部材３１については、リード線の封止をモリブデン（Ｍｏ）箔シールや、タングステン（Ｗ）棒から石英ガラスの熱膨張係数に数段のガラス段継により行う段継シールなどの手法により、封止部を形成し、透光性外筒管２０の内側においては、希ガス放電管１０の外部電極１２，１３と各々電気的に接続させ、透光性外筒管２０の外側においては、蓋部材３１の外部からリード線１５、１６を電気的に接続させる。この蓋部材３１を透光性外筒管２０と加熱封止することにより、気密にする。この後、透光性外筒管２０に予め取り付けてある排気用のチップ管（不図示）から、希ガス放電管１０と透光性外筒管２０の間の空間について排気を行い、不活性ガスとして、Ｎ2やＡｒなどを主成分とするガスを、1気圧（１００ｋＰａ）以内の圧力で、封入するか、1×１０−１Ｐａ以下の減圧状態にすることで、希ガス放電管１０からの１７２ｎｍの真空紫外光放射を、透光性外筒管２０からも透過させることができる。
また、蓋部材３１、３２に近い領域で、管体の端部側に、外筒管２０と管体の間に、振動や破損防止の同軸保持用スペーサー４０を取り付けることが必要である。この場合、材質は、綿状のセラミックや、ガス放出の少ない樹脂（テフロン（登録商標）、バイトンなど）を使用することができる。
【００２４】
さらに、図1に示すように、リード線１５、１６の取り出しを、片側から2本とも取り出す場合以外に、給電部をランプの両端から外部電極のそれぞれの電極へのリード線を取り出す構成をとることができる。
【００２５】
〔第２の実施形態〕
図５は二重管型希ガス放電ランプ１００´を管軸方向に垂直な断面で示したものである。
この図にあるように、透光性外筒管２０の内部にある希ガス放電管１０には蛍光体層１４を形成せず、透光性外筒管２０の内面に、蛍光体層１４を形成し、管軸に沿って蛍光体層を備えないアパーチャ１７を有する構造をとることもできる。この場合、アパーチャは、内面の最大で５０％までで使用し、可視光の光学的な取り出しをも考慮すると、アパーチャ角度αは、６０度付近が好ましい。この場合、１７２nmの真空紫外光の取り出しは、光学的には全体の１／６ になるが、上に述べたように、可視光の取り出し効率と、１７２nmの真空紫外光に指向性を持たせて、照射することを考慮すると、６０度付近の角度が好ましくなる。
【００２６】
本発明によれば、外部電極型の希ガス放電管の全体を透光性外筒管で覆うと共に、当該透光性外筒管の両方の開口端部を樹脂製の蓋部材を封着し、密閉状態に封止しているので、当該希ガス放電管の電極間の絶縁を確実に行うことができて、展示用の冷蔵庫、冷凍庫内の照明などとして、好適に使用することができる。特に希ガス放電管は水銀を使用していないため寿命や光量が温度にほとんど依存しないので、低温庫内において使用するのに好適な光源とすることができる。しかも、希ガス放電管の外表面上に樹脂チューブやシートを被覆しない構造であるため、樹脂製品の劣化に由来して生じる出射光の色合い変化や照度低下などの経年的な変化の発生のない希ガス放電管とすることができる。
【００２７】
とりわけ本発明においては、管体１１及び透光性外筒管２０は、１７２ｎｍの真空紫外光を透過するとともに、管体１１や透光性外筒管２０の一部に蛍光体層１４を形成していない部分をもつ構成をとることができ、冷蔵庫や冷凍庫などの保冷室内での殺菌や菌の増殖を抑える作用を有効に使用することができる。また、同時に脱臭の効果も使用することができる。
【００２８】
以上第１および第２の実施形態について説明したが、本発明の二重管型希ガス放電ランプおいては、上記の実施形態に限定されず種々の変化を加えることが可能である。
真空紫外光を透過する誘電体材料からなる管体としては、直管状のものに限らず、曲管状やコ字状など、使用される場所に応じた形状でよい。
【００２９】
ここで、本願発明にかかる二重管型希ガス放電ランプの構成について具体的数値例及び材質について説明する。
（１）希ガス放電管
管体：１７２ｎｍの真空紫外光を透過する合成石英ガラスや、溶融石英ガラスなどの真空紫外光透過性のガラスまたは、サファイヤ単結晶などの真空紫外光透過性のセラミック材料である。管体外径などの仕様は以下の通りである。
管体外径と肉厚；外径φ６〜φ１３ｍｍ、肉厚０．５〜１．０ｍｍ
管体全長：１００〜１５００ｍｍ
外部電極幅：０．２〜２ｍｍ
外部電極材質：銀ペースト、アルミニウム箔、電極膜厚３〜３０μｍ
【００３０】
ここで、外部電極は、基本的に帯状であるが、帯状の意味は、外部電極膜厚に対して
、外部電極幅が、１桁以上長い膜を形成している形態について言う。また、帯の模様や形状についても様々な形態が取れるが、管体外表面の基本的に軸方向に沿った導電膜を形成している形状についても帯状として表現する。
外部電極を銀ペーストにより構成する場合は、スクリーン印刷により形成し、大気中６００℃にて焼成して焼き付け使用する。金属箔により構成する場合は短冊状の箔の片側の面に接着層を形成して貼付する。
【００３１】
図においては不図示であるが、外部電極の酸化及び剥離を防止するため被覆する電極保護膜を備えている。電極保護膜については以下の通りである。
電極保護膜：ＴｉＯ2、ＺｎＯ、Ｉｎ2Ｏ3などを主成分とするセラミック粉末ペースト、電極保護膜厚：５〜３０μｍ
【００３２】
ここで、電極保護膜は、外部電極とリード線との接続部を除き、外部電極全体を被覆する。電極保護膜を、セラミック粉末ペーストから形成する場合は、外部電極の場合と同じく、スクリーン印刷により形成し、大気中６００℃にて焼成して焼き付け使用する。また、あまり高温で使用しない用途では、電極保護膜は、例えば、エポキシ系樹脂やシリコーン系樹脂などを使用することもできる。
【００３３】
蛍光体は以下の通りである。
蛍光体：青色蛍光体；ＢａＭｇＡｌ１０Ｏ１７：Ｅｕ
緑色蛍光体；ＬａＰＯ４：Ｃｅ，Ｔｂ
赤色蛍光体；（Ｙ，Ｇｄ）ＢＯ３：ＥｕないしＹ２Ｏ３：Ｅｕ
蛍光体の色度調整：（ｘ、ｙ）＝（０．３１、０．３５）付近を基本とするが、用途により蛍光体で再現できる範囲で蛍光体の配合比を変えることで自在に変えることができる。
蛍光体平均膜厚：  １０〜２０μｍ
【００３４】
本願では、管体や透光性外筒管に１７２ｎｍを透過する合成石英ガラスや、溶融石英ガラスなどの真空紫外光透過性のガラスまたは、サファイヤ単結晶などの真空紫外光透過性のセラミック材料を使用するため、蛍光体を従来の硬質ガラスや軟質ガラスに塗布する条件では、付着しない。このため、上記の蛍光体に加えて、バインダーとして、ＳｉＯ２やＡｌ２Ｏ３粉末をフィラーとした低融点ガラス粉末（ＺｎＯ−Ｂ２Ｏ３系など）ないしは、リン酸塩粉末（カルシウムリン酸塩、バリウムリン酸塩）などを、体積％で、１０％を上限として使用する。さらに蛍光体の極端な劣化を生じる温度を超えない８００℃程度を上限にした大気中の焼成により、上記の合成石英ガラスや、溶融石英ガラス、サファイヤ単結晶などからなる管体や透光性外筒管に蛍光体層を剥がれにくいように形成することができる。
【００３５】
封入ガス圧とガス種は以下の通りである。
封入ガス圧：４×１０3〜４０×１０3Ｐａ
ガス種：Ｘｅ 
【００３６】
外部電極とリード線との接続においては、銀ペーストによって接着し、その外周に熱収縮チューブを配置して加熱することで圧縮、押圧して固定するか、半田付けなどで直接接合することができる。
【００３７】
また、蛍光体層１４は、上記蛍光体を、発光部に塗布しない領域を一部に形成することができる。この場合、例えば、読み取り光源の場合のように、スリット状にアパーチャ17を形成して、線上に真空紫外光透過部を形成したりすることもできる。その他に、蛍光体の塗布厚みを薄くすることで、全体に透過する真空紫外光を増やすこともできる。アパーチャの形成は、蛍光体の焼成後に、行うことが一般的である。
【００３８】
（２）透光性外筒管
透光性外筒管は以下の通りである。
全長：１００〜１５５０ｍｍ（管体の全長と同等〜５０ｍｍ長い）
外径：φ７〜φ２３ｍｍ（管体の外径よりも０．５〜１０ｍｍ大きい）
肉厚：０．５〜１．０ｍｍ
材質：１７２ｎｍを透過する合成石英ガラスや、溶融石英ガラスなどの真空紫外光透過性のガラスなど
蛍光体層を形成する場合は、段落００３４において述べたとおり、バインダーと、焼成温度を従来の蛍光ランプのケースと異なり調整することが必要である。
【００３９】
（３）蓋部材
蓋部材については以下の通りである。
材質：石英ガラスで、透光性外筒管との熱膨張係数がほぼ同等であるもの。
端壁部：外径φ１０〜φ２７ｍｍ、肉厚１．０〜５．０ｍｍ
ここでは、リード線の封止をＭｏ箔シールや、Ｗ棒から石英ガラスの熱膨張係数に数段のガラス段継により行う段継シールなどの手法を使用することができる。
【００４０】
以上、本発明の実施の形態について様々なものを説明したが、本発明は上記構成に限定されるものではなく種々の変更を加えたケースを含む。
本願発明では、それらのケースの基本的な構成要素を、適宜に組み合わせて蓋部材を製作することができることは言うまでもない。
【００４１】
また、例えば、透光性外筒管の一部に反射機能を持たせることにより、出射する光に指向性を具備させて使用することができる。この場合、外管の内表面に白色もしくは、金属光沢の薄膜ないし厚膜を形成するか、同様な膜を外管の外表面に形成することにより、蛍光体層へのアパーチャの形成に加えて、光の指向性をさらに上げることができる。白色の反射膜としては、一般に、ＳｉＯ2やＡｌ２Ｏ３などの白色セラミックを含む塗膜を使用することができる。また、金属光沢の膜はＡｌ蒸着などの金属薄膜蒸着により形成できる。
【００４２】
また、構成として、希ガス放電管と外筒管の間は、１７２nmの真空紫外光の吸収を最小限にするために、不活性ガスとして窒素やアルゴンなどのガスを封入する。かかる場合、透光性外筒管内部に希ガス放電管及び一方の蓋部材を封着したのち、希ガス放電管と透光性外筒管、両端部の蓋部材などのランプ構成要素を所定のガス雰囲気に調製されたチャンバー内部に移動して、他方の蓋部材を封着して密閉構造とする。
【００４３】
また、希ガス放電管への給電は、上記の実施形態においては、一方の端部から行われている。しかし、設置場所や装置の形態により、希ガス放電管の両端部から、各々の極性について電力供給を行う給電部構造をとることも可能である。
【００４４】
本願の発明によれば、図６に示すように、冷凍庫７０に使用する場合は、本願の二重管型希ガス放電ランプを備えたランプユニット６０を、冷凍庫７０内の上部に設置する。この際に、ランプのアパーチャは、ユニット正面方向に設置し、１７２nmの真空紫外光を正面に出して、オゾンを発生させることで、密閉された空間での殺菌ないし菌の増殖を抑えることを可能にできる。
【００４５】
また、図７に示す冷蔵ショーケース８０の場合は、冷凍庫の場合と異なり、エアーカーテンを形成しているものの、ショーケースは開放されているため、オゾンを前面で発生させることは必ずしも得策で無い場合がある。このため、本願の二重管型希ガス放電ランプを、そのアパーチャをショーケースの背面側に向けて取り付けることになる。さらに、可視光を有効に利用するために、透光性外筒管は、蛍光体以外の層を形成することは行わず、可視光は、アパーチャ以外の方向から出るようにする。こうすることで、冷蔵ショーケース８０内は、照明が行われるとともに、背面方向で、１７２nmの真空紫外光により発生したオゾンが、冷蔵ショーケース８０内の陳列棚８１に陳列された商品の表面での殺菌ないし菌の増殖を抑えることを可能にする。
【図面の簡単な説明】
【００４６】
【図１】本発明の実施形態の二重管型希ガス放電ランプの斜視図である。
【図２】本発明の実施形態の二重管型希ガス放電ランプを構成する、(a)外筒管の内部に収用された希ガス放電管の斜視図、(b)透光性外筒管の斜視図、(c) 希ガス放電管の断面図である。
【図３】本発明の二重管型希ガス放電ランプの片側端部の封着前の状態を示している。
【図４】本発明の二重管型希ガス放電ランプの管軸方向に垂直な断面を示す断面図である。
【図５】本発明の二重管型希ガス放電ランプの管軸方向に垂直な断面を示す断面図である。
【図６】本発明の二重管型希ガス放電ランプを使用した冷凍庫のランプユニットの位置を示した概略図である。
【図７】本発明の二重管型希ガス放電ランプを使用した冷蔵ショーケースのランプ位置を示した概略図である。
【符号の説明】
【００４７】
１０                  希ガス放電管
１１                  管体
１２、１３            電極
１４                  蛍光体層
１５、１６            リード線
１７                  アパーチャ
２０                  透光性外筒管
３１、３２            蓋部材
４０  同軸保持用スペーサー
６０  ランプユニット
５０  コネクター
７０  冷凍庫
７１  ドア
８０  冷凍ショーケース
８１  陳列棚
１００、１００´  二重管型希ガス放電ランプ
【図１】
2008098022.tif 000003
【図２】
2008098022.tif 000004
【図３】
2008098022.tif 000005
【図４】
2008098022.tif 000006
【図５】
2008098022.tif 000007
【図６】
2008098022.tif 000008
【図７】
2008098022.tif 000009